(57)【要約】【課題】電子新聞や電子雑誌等の紙面レイアウトのコンテンツの折り返した裏面を簡単な操作で表示することができるコンテンツ表示装置を提供する。【解決手段】折り目指定部６が、タッチパネル４の接触を検出した座標に基づいて表示部２に表示するコンテンツの折り目を指定し、情報拡大部８が、コンテンツのうち、折り目指定部６で指定された折り目２００を境に右側の情報を拡大表示し、さらに、表裏切替部７がコンテンツの表裏を切り替えるための入力を検出した場合に、コンテンツの右側の情報と左側の情報とを入れ替えて表示する。これにより、表示部２に表示させるコンテンツの表裏を切り替えるための操作を行うだけで、折り目を境とする右側の情報と左側の情報とを入れ替えることができる。したがって、操作性の良いコンテンツ表示装置を得ることができる。【選択図】図１
2011243022.tif 000002
【特許請求の範囲】
【請求項１】
コンテンツを表示する表示部と、
接触した座標を検出する検出部と、
前記検出部の検出した座標に基づいて前記表示部に表示するコンテンツの折り目を指定する折り目指定部と、
前記表示部に、コンテンツのうち、前記折り目を境に所定の側を拡大表示させる情報拡大部と、
前記表示部に表示させるコンテンツの表裏を切り替えるための入力を検出する表裏切替部と、を備え、
前記情報拡大部は、前記表裏切替部がコンテンツの表裏を切り替えるための入力を検出した場合に、コンテンツのうち、前記所定の側と該所定の側の反対側とを入れ替えて、前記表示部に表示させるコンテンツ表示装置。
【請求項２】
前記検出部の検出した座標に基づいて前記表示部にコンテンツの前記折り目を境にどちら側を表示させるかの選択をする選択部を備え、
前記情報拡大部は、前記表示部に、コンテンツのうち、前記選択部で選択された側を拡大表示させる請求項１に記載のコンテンツ表示装置。
【請求項３】
前記折り目指定部は、空白行又は同一色が縦方向又は横方向に連続する部分を折り目の選択候補として表示させる請求項１又は請求項２に記載のコンテンツ表示装置。
【請求項４】
前記表示部とは筐体の反対側の面に設けられた他の表示部を備え、
前記情報拡大部は、コンテンツのうち、前記折り目を境に所定の側を前記表示部に拡大表示させるとともに、前記所定の側の反対側を前記他の表示部に拡大表示させる請求項１に記載のコンテンツ表示装置。
【発明の詳細な説明】
【技術分野】
【０００１】
本発明は、電子新聞や電子雑誌等の紙面レイアウトのコンテンツを表示するコンテンツ表示装置に関する。
【背景技術】
【０００２】
従来、上述したコンテンツを表示する方法として、例えば特許文献１で開示されているものが知られている。この特許文献１には、使用者の専用インタフェースの操作に基づいて、表示情報中の特定パターンでの表示領域を決定するステップと、決定された表示領域の情報を表示画面に表示するように前記表示領域を拡大／縮小するステップと、拡大／縮小された表示領域の情報を表示画面に表示するステップを有する畳み／開き型拡大／縮小表示方法が開示されている。
【先行技術文献】
【特許文献】
【０００３】
【特許文献１】特開２００１−１４２６０３号公報
【発明の概要】
【発明が解決しようとする課題】
【０００４】
しかしながら、上述した特許文献１で開示された畳み／開き型拡大／縮小表示方法では、特定パターンで、畳む／開くという操作を行うことにより、表示領域の拡大／縮小が容易にできるものの、畳んだ部分（即ち、折り返した部分）は非表示となるため、必ず開くという操作が必要になり、操作性が良くないという課題がある。
【０００５】
本発明は、係る事情に鑑みてなされたものであり、電子新聞や電子雑誌等の紙面レイアウトのコンテンツの折り返した裏面を簡単な操作で表示することができるコンテンツ表示装置を提供することを目的とする。
【課題を解決するための手段】
【０００６】
本発明のコンテンツ表示装置は、コンテンツを表示する表示部と、接触した座標を検出する検出部と、前記検出部の検出した座標に基づいて前記表示部に表示するコンテンツの折り目を指定する折り目指定部と、前記表示部に、コンテンツのうち、前記折り目を境に所定の側を拡大表示させる情報拡大部と、前記表示部に表示させるコンテンツの表裏を切り替えるための入力を検出する表裏切替部と、を備え、前記情報拡大部は、前記表裏切替部がコンテンツの表裏を切り替えるための入力を検出した場合に、コンテンツのうち、前記所定の側と該所定の側の反対側とを入れ替えて、前記表示部に表示させる。
【０００７】
上記構成によれば、折り目指定部は、検出部の接触を検出した座標に基づいて表示部に表示するコンテンツの折り目を指定し、情報拡大部は、折り目指定部で指定された折り目を境に所定の側を拡大表示し、さらに、表裏切替部がコンテンツの表裏を切り替えるための入力を検出した場合に、所定の側と該所定の側の反対側とを入れ替えて表示するので、表示部に表示させるコンテンツの表裏を切り替えるための簡単な操作を行うだけでコンテンツの折り目を境とする所定の側と該所定の側の反対側とを入れ替えることができる。
【０００８】
上記構成において、前記検出部の検出した座標に基づいて前記表示部にコンテンツの前記折り目を境にどちら側を表示させるかの選択をする選択部を備え、前記情報拡大部は、前記表示部に、コンテンツのうち、前記選択部で選択された側を拡大表示させる。
【０００９】
上記構成によれば、表示部にコンテンツの折り目を境にどちら側を表示させるかの選択をする選択部を備えるので、折り目を境にどちら側を表示させるかを簡単な操作で行うことができる。
【００１０】
上記構成において、前記折り目指定部は、空白行又は同一色が縦方向又は横方向に連続する部分を折り目の選択候補として表示させる。
【００１１】
上記構成によれば、折り目の選択候補を表示するので、折り目指定を容易に行うことができる。
【００１２】
上記構成において、前記表示部とは筐体の反対側の面に設けられた他の表示部を備え、前記情報拡大部は、コンテンツのうち、前記折り目を境に所定の側を前記表示部に拡大表示させるとともに、前記所定の側の反対側を前記他の表示部に拡大表示させる。
【００１３】
上記構成によれば、コンテンツのうち、折り目を境に所定の側を一方の表示部に拡大表示させ、所定の側の反対側を他方の表示部に拡大表示させるので、表示部にコンテンツの折り目を境にどちら側を表示させるかの選択が不要となり、その選択を行うことなく両方を一度に見ることができる。
【発明の効果】
【００１４】
本発明によれば、電子新聞や電子雑誌等の紙面レイアウトのコンテンツの折り返した裏面を簡単な操作で表示することができる。
【図面の簡単な説明】
【００１５】
【図１】本発明の実施の形態１に係るコンテンツ表示装置の概略構成を示すブロック図
【図２】図１のコンテンツ表示装置の動作を具体的に説明するための図
【図３】図１のコンテンツ表示装置の動作を説明するためのフローチャート
【図４】本発明の実施の形態２に係るコンテンツ表示装置の概略構成を示すブロック図
【図５】図４のコンテンツ表示装置の動作を具体的に説明するための図
【図６】図４のコンテンツ表示装置の動作を説明するためのフローチャート
【発明を実施するための形態】
【００１６】
以下、本発明を実施するための好適な実施の形態について、図面を参照して詳細に説明する。
【００１７】
（実施の形態１）
図１は、本発明の実施の形態１に係るコンテンツ表示装置の概略構成を示すブロック図である。同図において、本実施の形態に係るコンテンツ表示装置１は、表示部２と、記憶部３と、タッチパネル４と、選択部５と、折り目指定部６と、表裏切替部７と、情報拡大部８と、制御部９とを備える。
【００１８】
表示部２は、ＬＣＤ（Liquid Crystal Display）やＥＬ（Electro Luminescence）等の表示器を有し、コンテンツを表示する。記憶部３は、コンテンツのデータを記憶する。本実施の形態では、電子新聞や電子雑誌等の紙面タイプのコンテンツのデータを記憶するものとする。タッチパネル（検出部）４は、例えば静電容量式のタッチセンサを有し、ユーザの指などによる接触を検出するとともに、接触を検出した座標を検出する。選択部５は、タッチパネル４の検出した座標に基づいて表示部２にコンテンツの折り目を境にどちら側を表示させるかの選択をする。折り目指定部６は、タッチパネル４の検出した座標に基づいて表示部２に表示するコンテンツの折り目を指定する。この場合、折り目指定部６は、制御部９の制御に従い、空白行又は同一色が縦方向又は横方向に連続する部分を折り目の選択候補として表示部２に表示させる。
【００１９】
表裏切替部７は、表示部２に表示させるコンテンツの表裏を切り替えるための入力を検出する。情報拡大部８は、表裏切替部７がコンテンツの表裏を切り替えるための入力を検出した場合に、コンテンツのうち、所定の側と該所定の側の反対側とを入れ替えて表示部２に表示させる。また、情報拡大部８は、表示部２に、コンテンツのうち、選択部５で選択された側の情報を拡大表示させる。制御部９は、内蔵メモリあるいは外部メモリ（いずれも図示略）に記憶されたプログラムに従って装置各部を制御する。制御部９は、記憶部３に記憶されているコンテンツを表示部２に表示させる。また、制御部９は、コンテンツのうち、折り目を境とする両側のうち、選択部５が選択した側の情報を表示部２に表示させる。また、制御部９は、折り目指定部６が指定した空白行又は同一色が縦方向又は横方向に連続する部分を折り目の選択候補として表示部２に表示させる。また、制御部９は、表裏切替部７がコンテンツの表裏を切り替えるための入力を検出した場合に、コンテンツのうち、表裏切替部７が切り替えた側の情報を表示部２に表示させる。この際、当該情報を情報拡大部８が拡大するので、情報拡大部８が拡大した情報を表示部２に表示させる。
【００２０】
次に、本実施の形態に係るコンテンツ表示装置１の動作を説明する。
図２は、本実施の形態に係るコンテンツ表示装置１の動作の概要を説明するための図である。図２の（ａ）は、表示部２の表示画面に電子新聞１００の一面全体が表示されている状態を示す図である。図２の（ｂ）は、折り目の指定と折り返し面の指定を行っている状態を示す図である。折り目の指定は、タッチパネル４上を指で摺動して折り目２００をなぞることで行う。折り目２００は同一色が縦方向に連続する部分である。なお、折り目の指定は、空白行又は同一色が横方向に連続する部分を折り目の選択候補として表示させるようにしてもよい。
【００２１】
電子新聞１００のうち、折り目２００を境に右側及び左側のうち、折り返したい側を指でタップすることで、タップした側にレ点２１０が表示される。図２の（ｂ）では、電子新聞１００のうち、折り目２００より左側（裏面）を折り返したい部分としてタップしている。折り目２００より左側の部分を折り返すことで、図２の（ｃ）に示すように、電子新聞１００のうち、折り目２００より右側（表面）の情報の一部１０１が拡大表示される。折り返した側の情報を見たい場合は、タッチパネル４上の表裏切替部分３００をタップする。ここで、表裏切替部分３００は、例えば、タッチパネル４上の表裏切替ボタンである。このとき表裏切替部分３００上にレ点２２０が表示される。タッチパネル４上の表裏切替部分３００をタップすることで、電子新聞１００のうち、折り目２００より右側の情報から折り目２００より左側の情報に切り替わり、図２の（ｄ）に示すように、折り目２００より左側の情報の一部１０２が拡大表示される。再度、表裏切替部分３００をタップすると、電子新聞１００のうち、折り目２００より左側の情報から折り目２００より右側の情報に切り替わり、折り目２００より右側の情報の一部１０１が拡大表示される。以後、表裏切替部分３００をタップすることで、折り目２００より右側の情報と左側の情報が交互に切り替わる。
【００２２】
このように折り目２００を指定した後、電子新聞１００のうち、折り返したい部分を指定することで、その部分が裏面となり、その部分と反対側の部分が表面となって、その部分の一部が拡大表示される。そして、表裏の切替えを行うことで、裏面となっている部分のうちの一部が拡大表示されるので、折り返した部分を簡単な操作で表示することができる。
【００２３】
図３は、本実施の形態に係るコンテンツ表示装置１の動作を説明するためのフローチャートである。同図において、ユーザが表示部２に表示されているコンテンツ（例えば、電子新聞）を見て折り目を指定するとして、タッチパネル４上に指を摺動させて折り目を指定する操作を行うと、折り目指定部６が折り目を指定する（ステップＳ１）。折り目指定部６によって折り目が指定されると、制御部９が表示部２に折り目２００を表示させる。その後、コンテンツのうち、ユーザが、裏面になる側を指定する操作を行うと、選択部５がユーザ操作に従って裏面になる側を指定する（ステップＳ２）。選択部５によって裏面になる側が指定されると、情報拡大部８が制御部９の制御に従い、表面になる側の情報を拡大し（ステップＳ３）、さらに拡大した情報を表示部２に表示させる（ステップＳ４）。
【００２４】
次いで、表裏切替部７が、タッチパネル４上の表裏切替部分３００がタップされたかどうか判定し（ステップＳ５）、当該部分（表裏切替部分３００）がタップされたと判定すると、情報拡大部８が制御部９の制御に従い、裏面になる側の情報を拡大し（ステップＳ６）、さらに拡大した情報を表示部２に表示させる（ステップＳ７）。
【００２５】
このように本実施の形態に係るコンテンツ表示装置１によれば、折り目指定部６が、タッチパネル４の接触を検出した座標に基づいて表示部２に表示するコンテンツの折り目を指定し、情報拡大部８が、コンテンツのうち、折り目指定部６で指定された折り目２００を境に右側の情報を拡大表示し、さらに、表裏切替部７がコンテンツの表裏を切り替えるための入力を検出した場合に、コンテンツの右側の情報と左側の情報とを入れ替えて表示するので、表示部２に表示させるコンテンツの表裏を切り替えるための操作を行うだけで、折り目を境とする右側の情報と左側の情報とを入れ替えることができる。したがって、操作性の良いコンテンツ表示装置を得ることができる。
【００２６】
（実施の形態２）
図４は、本発明の実施の形態２に係るコンテンツ表示装置の概略構成を示すブロック図である。なお、図１に示す実施の形態１に係るコンテンツ表示装置１と共通する部分には同一の符号を付けて、その説明を省略する。
【００２７】
図４において、本実施の形態に係るコンテンツ表示装置１０は、記憶部３と、タッチパネル４と、折り目指定部６と、情報拡大部８と、制御部９と、表画面表示部１１と、裏画面表示部１２とを備える。
【００２８】
表画面表示部１１及び裏画面表示部１２は、実施の形態１に係るコンテンツ表示装置１と同様にＬＣＤやＥＬ等の表示器を有し、コンテンツを表示する。裏画面表示部１２は、表画面表示部１１とは筐体（図示略）の反対側の面に設けられている。情報拡大部８は、コンテンツのうち、折り目を境に右側（表面）の情報の一部を拡大して表画面表示部１１に表示させるとともに、左側（裏面）の情報の一部を拡大して裏画面表示部１２に表示させる。
【００２９】
次に、本実施の形態に係るコンテンツ表示装置１０の動作を説明する。
図５は、本実施の形態に係るコンテンツ表示装置１０の動作の概要を説明するための図である。図５の（ａ）は、表画面表示部１１の表示画面に電子新聞１００の一面全体が表示されている状態と、折り目の指定が行われている状態を示す図である。折り目の指定は、前述した実施の形態１に係るコンテンツ表示装置１と同様に、タッチパネル４上を指で摺動して折り目２００をなぞることで行う。折り目２００は、同一色が縦方向に連続する部分である。なお、折り目の指定は、空白行又は同一色が横方向に連続する部分を折り目の選択候補として表示させるようにしてもよい。
【００３０】
折り目の指定を行うまでは、図５の（ｂ）に示すように、裏画面表示部１２には表示する情報はなく空白のままであるが、折り目の指定を行うと、図５の（ｃ）、（ｄ）に示すように、電子新聞１００のうち、折り目２００を境に右側の情報の一部１０１が拡大されて表画面表示部１１に表示され、左側の情報の一部１０２が拡大されて裏画面表示部１２に表示される。
【００３１】
このように、電子新聞１００に対して折り目２００を指定する操作を行うことで、折り目２００を境に右側の情報の一部１０１が拡大されて表画面表示部１１に表示され、左側の情報の一部１０２が拡大されて裏画面表示部１２に表示される。
【００３２】
図６は、本実施の形態に係るコンテンツ表示装置１０の動作を説明するためのフローチャートである。同図において、ユーザが表画面表示部１１に表示されているコンテンツ（例えば、電子新聞）を見て折り目を指定するとして、タッチパネル４上に指を摺動させて折り目を指定する操作を行うと、折り目指定部６が折り目を指定する（ステップＳ１０）。折り目指定部６によって折り目が指定されると、情報拡大部８が制御部９の制御に従い、折り目２００より右側（表面）の情報の一部を拡大し（ステップＳ１１）、さらに拡大した表面の情報を表画面表示部１１に表示させる（ステップＳ１２）。また、情報拡大部８は、制御部９の制御に従い、折り目２００より左側（裏面）の情報の一部を拡大し（ステップＳ１３）、さらに拡大した裏面の情報を裏画面表示部１２に表示させる（ステップＳ１４）。
【００３３】
このように本実施の形態に係るコンテンツ表示装置１０によれば、折り目指定部６が、タッチパネル４の接触を検出した座標に基づいて表画面表示部１１に表示するコンテンツの折り目を指定し、情報拡大部８が、コンテンツのうち、折り目指定部６で指定された折り目を境に右側の情報を表画面表示部１１に拡大表示させ、左側の情報を裏画面表示部１２に拡大表示させるので、表示部にコンテンツの折り目を境にどちら側を表示させるかの選択が不要となり、その選択を行うことなく両方を一度に見ることができる。したがって、操作性の良いコンテンツ表示装置を得ることができる。
【産業上の利用可能性】
【００３４】
本発明は、電子新聞や電子雑誌等の紙面レイアウトのコンテンツの折り返した裏面を簡単な操作で表示することができるといった効果を有し、電子書籍装置や大画面表示が可能なＰＤＡ（Personal Digital Assistant）等の情報機器への適用が可能である。
【符号の説明】
【００３５】
１、１０  コンテンツ表示装置
２  表示部
３  記憶部
４  タッチパネル
５  選択部
６  折り目指定部
７  表裏切替部
８  情報拡大部
９  制御部
１１  表画面表示部
１２  裏画面表示部
１００  電子新聞
２００  折り目
３００  表裏切替部分
【図１】
2011243022.tif 000003
【図２】
2011243022.tif 000004
【図３】
2011243022.tif 000005
【図４】
2011243022.tif 000006
【図５】
2011243022.tif 000007
【図６】
2011243022.tif 000008